(57)【要約】  電子装置及びその制御方法が開示される。本発明の一実施形態に係る電子装置の制御方法は、複数のページのうち少なくとも１つのページを表示するステップと、少なくとも１つのページを表示する間、タッチドラッグ入力を検知するステップと、タッチドラッグ入力の開始点が第１領域内に位置する場合、タッチドラッグ入力によって、複数のページに対するスクロール機能を行い、タッチドラッグ入力の開始点が第２領域内に位置する場合、タッチドラッグ入力によってドローイング機能を行うステップとを含む。それにより、本発明にかかる電子装置は、様々なインタラクション環境を提供することができるようになる。
2020530623.tif 000002
【特許請求の範囲】
【請求項１】
電子装置の制御方法において、
複数のページを表示するステップと、
前記複数のページを表示する間、タッチドラッグ入力を検知するステップと、
前記タッチドラッグ入力の開始点が、前記複数のページの境界から予め設定された距離の領域内に位置する場合、前記タッチドラッグ入力によって、前記複数のページに対するスクロール機能を行い、
前記タッチドラッグ入力の開始点が前記複数のページの境界から予め設定された距離の領域外に位置する場合、前記タッチドラッグ入力によってドローイング機能を行うステップと
を含む制御方法。
【請求項２】
前記表示するステップは、
前記複数のページ間を区分するための境界線を一緒に表示することを特徴とする請求項１に記載の制御方法。
【請求項３】
前記表示するステップは、
前記複数のページをガイドするためのナビゲーションウィンドウを表示するためのアイコンを一緒に表示し、
前記方法は、
前記アイコンを選択するユーザ命令が入力されると、前記複数のページが表示される間、前記ディスプレイの一領域に前記ナビゲーションウィンドウを一緒に表示することを特徴とする請求項１に記載の制御方法。
【請求項４】
前記ナビゲーションウィンドウは、現在表示される複数のページをガイドするためのインディケータを含み、
前記スクロール機能が行われた場合、前記行われたスクロールによって前記インディケータを移動することを特徴とする請求項３に記載の制御方法。
【請求項５】
前記インディケータは、
現在表示されるページを移動するためのアイコン、ページを挿入するためのアイコン、ページを削除するためのアイコンのうち、少なくとも１つを含むことを特徴とする請求項４に記載の制御方法。
【請求項６】
前記複数のページ及び前記ナビゲーションウィンドウが同時に表示される間、前記電子装置の回転を検知するステップと、
前記複数のページは回転せずに、前記ナビゲーションウィンドウを前記検知された電子装置の回転によって回転するステップと
を更に含むことを特徴とする請求項３に記載の制御方法。
【請求項７】
前記表示するステップは、
前記複数のページが表示されているディスプレイ上に前記複数のページをスクロールするためのスクロールパッドを表示し、
前記方法は、
前記スクロールパッドを介してユーザ命令が入力されると、前記ユーザ命令に応じて、前記複数のページをスクロールするステップを更に含むことを特徴とする請求項１に記載の制御方法。
【請求項８】
前記行うステップは、
前記タッチドラッグ入力の開始点が前記複数ページの境界から予め設定された距離の領域外に位置する場合、前記タッチドラッグ入力が検知れた領域のタッチ面積を確認するステップと、
前記検知された領域のタッチ面積が第１しきい値以下である場合、前記タッチドラッグ入力によって前記ドローイング機能を行うステップと
を更に含むことを特徴とする請求項１に記載の制御方法。
【請求項９】
前記行うステップは、
前記検知された領域のタッチ面積が前記第１しきい値を超過して第２しきい値未満である場合、前記タッチドラッグ入力によって消しゴム機能を行い、前記検知された領域のタッチ面積が前記第２しきい値以上であれば、予め定義されたイメージを挿入する機能を行うステップを更に含むことを特徴とする請求項８に記載の制御方法。
【請求項１０】
電子装置において、
ディスプレイと、
入力部と、
複数のページを表示するように前記ディスプレイを制御し、前記複数のページを表示する間、前記入力部を介してタッチドラッグ入力が検知されると、前記タッチドラッグ入力の開始点が、前記複数のページの境界から予め設定された距離の領域内に位置する場合、前記タッチドラッグ入力によって、前記複数のページに対するスクロール機能を行い、前記タッチドラッグ入力の開始点が前記複数のページの境界から予め設定された距離の領域外に位置する場合、前記タッチドラッグ入力によってドローイング機能を行うプロセッサと
を含む電子装置。
【請求項１１】
前記プロセッサは、
前記複数のページ間を区分するための境界線を一緒に表示するように前記ディスプレイを制御することを特徴とする請求項１０に記載の電子装置。
【請求項１２】
前記プロセッサは、
前記複数のページをガイドするためのナビゲーションウィンドウを表示するためのアイコンを一緒に表示し、
前記アイコンを選択するユーザ命令が入力されると、前記複数のページが表示される間、前記ディスプレイの一領域に前記ナビゲーションウィンドウを一緒に表示するように前記ディスプレイを制御することを特徴とする請求項１０に記載の電子装置。
【請求項１３】
前記ナビゲーションウィンドウは、
現在表示される複数のページをガイドするためのインディケータを含み、
前記プロセッサは、
前記スクロール機能が行われた場合、前記行われたスクロールによって前記インディケータを移動することを特徴とする請求項１２に記載の電子装置。
【請求項１４】
前記インディケータは、
現在表示されるページを移動するためのアイコン、ページを挿入するためのアイコン、ページを削除するためのアイコンのうち、少なくとも１つを含むことを特徴とする請求項１３に記載の電子装置。
【請求項１５】
前記プロセッサは、
前記複数のページ及び前記ナビゲーションウィンドウが同時に表示される間、前記電子装置の回転が検知されると、前記複数のページは回転せずに、前記ナビゲーションウィンドウを前記電子装置の回転によって回転させることを特徴とする請求項１２に記載の電子装置。
【発明の詳細な説明】
【技術分野】
【０００１】
本発明は、電子装置及びその制御方法に関し、より詳細には、大画面のディスプレイを備える電子装置及びその制御方法に関する。
【背景技術】
【０００２】
従来の電子黒板のような大画面の電子装置は、ユーザの命令による様々なインタラクション環境を提供する。
【０００３】
例えば、電子装置は、ユーザの命令に対応するコンテンツ或いはユーザのタッチドラッグの入力によるドローイングイメージを少なくとも１つのページの表示されたディスプレイ上に表示するインタラクション環境を提供することができる。
【０００４】
このようなインタラクション環境において、電子装置は、ディスプレイの一領域に表示されたスクロールバーに対するユーザの操作に応じて、ディスプレイ上に表示された少なくとも１つのページをスクロールし、以前或いは次のページを表示することができる。
【０００５】
更に、電子装置は、ディスプレイの一領域に表示された複数のページをガイドするナビゲーションウィンドウに対するユーザの操作に応じて、ディスプレイ上に表示された少なくとも１つのページをスクロールし、以前或いは次のページに転換して表示することができる。
【０００６】
しかし、電子装置は、複数のページを相互分離された状態でディスプレイ上に表示することで、ユーザの操作に応じてページがスクロールされると、ページが継続してディスプレイ上に表示できないという問題があった。
【０００７】
そのため、このような従来の電子装置で提供するインタラクション環境より多様なインタラクション環境を提供するための方策が必要となる。
【発明の概要】
【発明が解決しようとする課題】
【０００８】
そこで、本発明は、上記問題に鑑みてなされたものであり、本発明の目的とするところは、大画面のディスプレイを提供する電子装置を通じて様々なインタラクション環境を提供することにある。
【０００９】
特に、本発明は、大画面のディスプレイを提供する電子装置を利用することで、複数のページが継続して表示されるインタラクション環境を提供することを目的とする。
【課題を解決するための手段】
【００１０】
以上のような目的を達成するための本発明の一実施形態に係る電子装置の制御方法は、複数のページを表示するステップと、前記複数のページを表示する間、タッチドラッグ入力を検知するステップと、前記タッチドラッグ入力の開始点が、前記複数のページの境界から予め設定された距離の領域内に位置する場合、前記タッチドラッグ入力によって、前記複数のページに対するスクロール機能を行い、前記タッチドラッグ入力の開始点が前記複数のページの境界から予め設定された距離の領域外に位置する場合、前記タッチドラッグ入力によってドローイング機能を行うステップとを含む。
【００１１】
そして、前記表示するステップは、前記複数のページ間を区分するための境界線を一緒に表示してよい。
【００１２】
なお、前記表示するステップは、前記複数のページをガイドするためのナビゲーションウィンドウを表示するためのアイコンを一緒に表示し、前記方法は、前記アイコンを選択するユーザ命令が入力されると、前記複数のページが表示される間、前記ディスプレイの一領域に前記ナビゲーションウィンドウを一緒に表示してよい。
【００１３】
そして、前記ナビゲーションウィンドウは、現在表示される複数のページをガイドするためのインディケータを含み、前記スクロール機能が行われた場合、前記行われたスクロールによって前記インディケータを移動してよい。
【００１４】
なお、前記インディケータは、現在表示されるページを移動するためのアイコン、ページを挿入するためのアイコン、ページを削除するためのアイコンのうち、少なくとも１つを含んでよい。
【００１５】
そして、前記複数のページ及び前記ナビゲーションウィンドウが同時に表示される間、前記電子装置の回転が検知されると、前記複数のページは回転せずに、前記ナビゲーションウィンドウを前記電子装置の回転によって回転するステップを更に含んでよい。
【００１６】
なお、前記表示するステップは、前記複数のページが表示されているディスプレイ上に前記複数のページをスクロールするためのスクロールパッドを表示し、前記方法は、前記スクロールパッドを介してユーザ命令が入力されると、前記ユーザ命令に応じて、前記複数のページをスクロールするステップを更に含んでよい。
【００１７】
そして、前記行うステップは、前記タッチドラッグ入力の開始点が前記複数ページの境界から予め設定された距離の領域外に位置する場合、前記タッチドラッグ入力が検知れた領域のタッチ面積を確認するステップと、前記検知された領域のタッチ面積が第１しきい値以下である場合、前記タッチドラッグ入力によって前記ドローイング機能を行うステップを更に含んでよい。
【００１８】
なお、前記行うステップは、前記検知された領域のタッチ面積が前記第１しきい値を超過して第２しきい値未満である場合、前記タッチドラッグ入力によって消しゴム機能を行い、前記検知された領域のタッチ面積が前記第２しきい値以上であれば、前記タッチドラッグ入力によって予め定義されたイメージを挿入する機能を行うステップを更に含んでよい。
【００１９】
一方、本発明の別の実施形態に係る電子装置は、ディスプレイと、入力部と、複数のページを表示するように前記ディスプレイを制御し、前記複数のページを表示する間、前記入力部を介してタッチドラッグ入力が検知されると、前記タッチドラッグ入力の開始点が、前記複数のページの境界から予め設定された距離の領域内に位置する場合、前記タッチドラッグ入力によって、前記複数のページに対するスクロール機能を行い、前記タッチドラッグ入力の開始点が前記複数のページの境界から予め設定された距離の領域外に位置する場合、前記タッチドラッグ入力によってドローイング機能を行うプロセッサとを含む。
【００２０】
そして、前記プロセッサは、前記複数のページ間を区分するための境界線を一緒に表示するように前記ディスプレイを制御してよい。
【００２１】
なお、前記プロセッサは、前記複数のページをガイドするためのナビゲーションウィンドウを表示するためのアイコンを一緒に表示し、前記アイコンを選択するユーザ命令が入力されると、前記複数のページが表示される間、前記ディスプレイの一領域に前記ナビゲーションウィンドウを一緒に表示するように前記ディスプレイを制御してよい。
【００２２】
そして、前記ナビゲーションウィンドウは、現在表示される複数のページをガイドするためのインディケータを含み、前記プロセッサは、前記スクロール機能が行われた場合、前記行われたスクロールによって前記インディケータを移動してよい。
【００２３】
なお、前記インディケータは、現在表示されるページを移動するためのアイコン、ページを挿入するためのアイコン、ページを削除するためのアイコンのうち、少なくとも１つを含んでよい。
【００２４】
そして、前記プロセッサは、前記複数のページ及び前記ナビゲーションウィンドウが同時に表示される間、前記電子装置の回転が検知されると、前記複数のページは回転せずに、前記ナビゲーションウィンドウを前記電子装置の回転によって回転させてよい。
【００２５】
なお、前記プロセッサは、前記少なくとも１つのページが表示されている状態で、前記複数のページをスクロールするためのスクロールパッドを表示するように前記ディスプレイを制御し、前記スクロールパッドを介してユーザ命令が入力されると、前記ユーザ命令に応じて、前記複数のページをスクロールしてよい。
【００２６】
そして、前記プロセッサは、前記タッチドラッグ入力の開始点が前記複数ページの境界から予め設定された距離の領域外に位置する場合、前記タッチドラッグ入力が検知れた領域のタッチ面積を確認し、前記検知された領域のタッチ面積が第１しきい値以下である場合、前記タッチドラッグ入力によって前記ドローイング機能を行ってよい。
【００２７】
なお、前記プロセッサは、前記検知された領域のタッチ面積が前記第１しきい値を超過して第２しきい値未満である場合、前記タッチドラッグ入力によって消しゴム機能を行い、前記検知された領域のタッチ面積が前記第２しきい値以上であれば、前記タッチドラッグ入力によって予め定義されたイメージを挿入する機能を行ってよい。
【発明の効果】
【００２８】
以上説明したように、本発明によれば、本発明にかかる電子装置は、様々なインタラクション環境を提供することができるようになる。
【図面の簡単な説明】
【００２９】
前記及び／又は様態は、添付図面に示す例示的な実施形態を参照してより明確になる。これらの図面は、特定の例示的な実施例のみを示し、本発明の範囲を制限するものとして見なされないことを理解し、本明細書の原理は、添付図面を参照して追加の特異性及び細部事項として説明される。
【図１】本発明の一実施形態に係る電子装置のブロック図である。
【図２】本発明の一実施形態に係るディスプレイ構造を示す例示図である。
【図３】本発明の一実施形態に係る電子装置の細部ブロック図である。
【図４】本発明の一実施形態に係る電子装置でスクロール動作を行う例示図である。
【図５】本発明の一実施形態に係る電子装置でスクロール動作を行う例示図である。
【図６】本発明の一実施形態に係る電子装置でスクロール動作を行う例示図である。
【図７】本発明の別の実施形態に係る電子装置でスクロール動作を行う例示図である。
【図８】本発明の一実施形態に係る電子装置でナビゲーションＵＩを提供する例示図である。
【図９】本発明の一実施形態に係る電子装置で電子装置の回転によってディスプレイを制御する例示図である。
【図１０】本発明の一実施形態に係る電子装置でタッチドラッグ入力によって動作を行う例示図である。
【図１１】本発明の一実施形態に係る電子装置でタッチドラッグ入力によって動作を行う例示図である。
【図１２】本発明の一実施形態に係る電子装置でタッチドラッグ入力によって動作を行う例示図である。
【図１３】本発明の一実施形態に係る電子装置の制御方法を示すフローチャートである。
【図１４】本発明の一実施形態に係る電子装置でユーザタッチに対応する機能を行う方法を示すフローチャートである。
【発明を実施するための形態】
【００３０】
本明細書で使われる用語に対して概略に説明し、本発明について具体的に説明する。
【００３１】
本発明の実施形態で使われる用語は、本発明における機能を考慮しつつ可能な限り、現在広く使われる一般的な用語を選択しているが、それは、当分野に携わる技術者の意図又は判例、新たな技術の出現などによって変わることがある。なお、特定の場合は、出願人が任意に選定した用語もあり、この場合は該当する発明の説明部分で詳細にその意味を記載する。よって、本発明で使われる用語は、単なる用語の名称はなく、その用語のもつ意味と本発明の全般に亘る内容に基づいて定義されるべきである。
【００３２】
本発明の実施形態は、様々な変換を施すことができ、様々な実施例を有することができるため、特定の実施例を図面に例示し、詳細な説明において詳しく説明する。しかし、それは、特定の実施例に対し、範囲を限定しようとするものではなく、発明された思想及び技術範囲に含まれる全ての変換、均等物ないし代替物を含むものとして理解されるべきある。実施例を説明するうえで、関連する公知技術に対する具体的な説明が要旨を曖昧にすると判断される場合には、その詳細な説明を省略する。
【００３３】
第１、第２などの用語は、様々な構成要素を説明するうえで使われてよいが、構成要素は用語によって限定されてはならない。用語は、一つの構成要素を別の構成要素から区別する目的としてのみ使われる。
【００３４】
単数の表現は、文脈上明白にそうでないことを意味しない限り、複数の表現を含む。本出願において、「含む」又は「構成される」などの用語は、明細書上に記載された特徴、数字、ステップ、動作、構成要素、部品又はそれらを組み合わせたものが存在することを指定するためのものであって、一つ又はそれ以上の別の特徴や数字、ステップ、動作、構成要素、部品又はそれらを組み合わせたものの存在又は付加可能性を予め排除しないと理解されるべきである。
【００３５】
本発明において、「モジュール」或いは「部」は、少なくとも一つの機能や動作を行い、ハードウェア又はソフトウェアで実現されたり、ハードウェアとソフトウェアとの結合で実現されてよい。なお、複数の「モジュール」或いは複数の「部」は、特定のハードウェアで実現される必要がある「モジュール」或いは「部」を除いては、少なくとも一つのモジュールで一体化されて少なくとも一つのプロセッサ（図示せず）で実現されてよい。
【００３６】
本発明の実施例において、或る部分が別の部分と「接続」されているとする際、それは「直接接続」されている場合だけでなく、その中間に別の素子を隔てて「電気的に接続」されている場合も含む。なお、物理的な接続だけでなく、無線接続されている場合も含む。なお、或る部分がある構成要素を「含む」とする際、それは、特にそうでないと記載されていない限り、他の構成要素を除くものではなく、他の構成要素をさらに含むことができることを意味する。
【００３７】
以下では、添付の図を参照し、本発明の実施形態に対して本発明の属する技術分野で通常の知識を有する者が容易に実施できるように詳細に説明する。しかし、本発明は、複数の異なる形態で実現されてよく、ここにおいて説明する実施形態に限定されない。そして、図面において、本発明を明確に説明するために、発明と関係のない部分は省略しており、明細書の全体を通して類似する部分については、類似する図面符号を付する。
【００３８】
以下では、図面を参照し、本発明について詳細に説明する。
【００３９】
図１は、本発明の一実施形態に係る電子装置のブロック図である。
【００４０】
電子装置１００は、複数のユーザ間で多様なコミュニティ環境が行われる講義室及び会議室などに用いられる電子黒板或いは建物の壁に設置されるデジタルサイネージのような大画面ディスプレイ装置であってよい。
【００４１】
このような電子装置１００は、入力部１１０と、ディスプレイ１２０及びプロセッサ１３０を含む。
【００４２】
入力部１１０は、ユーザのタッチドラッグ入力及び後述の入力装置２００のタッチドラッグ入力を検知する。更に、入力部１１０は、ユーザの多様なユーザ命令を入力されることができる。
【００４３】
ディスプレイ１２０は、複数のページのうち少なくとも１つを表示する。更に、ディスプレイ１２０は、複数のページの間を区分するための境界線（以下、境界ＵＩという）、複数のページをガイドするナビゲーションウィンドウ（以下、ナビゲーションＵＩという）などを表示することができる。
【００４４】
このような入力部１１０及びディスプレイ１２０の構成について、詳しく説明する。
【００４５】
プロセッサ１３０は、複数のページのうち少なくとも１つのページを表示するようにディスプレイ１２０を制御する。それにより、ディスプレイ１２０は、プロセッサ１３０の複数のページのうち少なくとも１つのページを表示することができる。このように、複数のページのうち少なくとも１つのページが表示されている状態で、入力部１１０を介してタッチドラッグ入力が検知されると、プロセッサ１３０は、タッチドラッグ入力の検知された開始点が第１領域内に位置する否かを判断する。
【００４６】
判断の結果、タッチドラッグ入力の検知された開始点が第１領域内に位置すると、プロセッサ１３０は、タッチドラッグ入力によって、複数のページに対するスクロール機能を行う。それにより、ディスプレイ１２０は、スクロールされたページをディスプレイすることができる。ここで、第１領域は、複数ページのそれぞれの境界から予め設定された距離範囲に該当する領域を意味してよい。即ち、第１領域は、境界ＵＩの表示された地点を基準に予め設定された距離範囲内の領域であってよい。一実施形態によると、第１領域は、境界ＵＩ上に又は境界ＵＩの近くにあってよい。別の実施形態によると、第１領域は、境界ＵＩから予め決定された距離内にあってよい。
【００４７】
一方、検知されたタッチドラッグ入力の開始点が第２領域内に位置する場合、プロセッサ１３０は、検知されたタッチドラッグ入力によってドローイング機能を行う。それにより、ディスプレイ１２０は、タッチドラッグ入力に対応するドローイングイメージを表示することができる。ここで、第２領域は、第１領域外の領域であってよい。即ち、第２領域は、複数ページのそれぞれの境界から予め設定された距離範囲外の領域に該当する領域を意味してよい。
【００４８】
本発明の更なる様態によって、プロセッサ１３０は、複数のページをガイドするためのナビゲーションＵＩを表示するためのアイコンを一緒に表示するようにディスプレイ１２０を制御してよい。このような制御命令に応じて、ナビゲーションＵＩを表示するためのアイコンがディスプレイ１２０に表示されている状態で、当該アイコンを選択するためのユーザ命令が入力されると、プロセッサ１３０は、ディスプレイ１２０上に少なくとも１つのページが表示される間、ディスプレイ１２０の位置領域にナビゲーションＵＩを少なくとも１つのページとともに表示するようにディスプレイ１２０を制御してよい。
【００４９】
それにより、ディスプレイ１２０は、少なくとも１つのページとともに一領域にナビゲーションＵＩを表示してよい。
【００５０】
一方、ディスプレイ１２０の一領域に表示されたナビゲーションＵＩは、ディスプレイ１２０上に現在表示されている少なくとも１つのページをガイドするためのインディケータを含んでよい。よって、プロセッサ１２０は、スクロール機能が行われた場合、行われたスクロールによってナビゲーションＵＩに含まれたインディケータを移動してよい。
【００５１】
一方、上述のインディケータは、ディスプレイ１２０上に現在表示されているページを移動するためのアイコン、ページを挿入するためのアイコン、及びページを削除するためのアイコンのうち、少なくとも１つを含んでよい。
【００５２】
よって、インディケータに含まれた少なくとも１つのアイコンが選択されると、プロセッサ１３０は、選択された少なくとも１つのアイコンに対応し、ページを移動したり、ページを挿入或いは削除してよい。
【００５３】
本発明の更なる様態によって、プロセッサ１３０は、ディスプレイ１２０上に少なくとも１つのページ及びナビゲーションＵＩが同時に表示される間、電子装置１００の回転が検知されると、少なくとも１つのページを回線せずに、ナビゲーションＵＩを電子装置１００の回転によって回転させてよい。
【００５４】
具体的に、ディスプレイ１２０は、複数のレイヤで実現されてよい。よって、プロセッサ１３０は、複数のレイヤのうち、少なくとも１つのページを表示するレイヤの表示状態を維持する。一方、プロセッサ１３０は、複数のレイヤのうち、ナビゲーションＵＩを表示する更に別のレイヤの表示状態を電子装置１００の回転方向に応じて変更された形態で表示されるようにナビゲーションＵＩに対する映像処理を行ってよい。
【００５５】
それにより、ディスプレイ１２０は、少なくとも１つのページの表示状態を維持しつつ、ナビゲーションＵＩの表示状態を変更させ、表示してよい。
【００５６】
本発明の更なる様態によって、プロセッサ１３０は、少なくとも１つのページ上に複数のページをスクロールするためのスクロールパッドを表示するようにディスプレイ１２０を制御してよい。このような制御命令に応じて、ディスプレイ１２０は、複数のページをスクロールするためのスクロールパッドを表示してよい。このようなスクロールパッドが表示されている状態で、スクロールパッドを介してユーザ命令が入力されると、プロセッサ１３０は、ユーザ命令に応じて、複数のページをスクロールしてよい。それにより、ディスプレイ１２０は、スクロールされたページを表示してよい。
【００５７】
一方、プロセッサ１３０は、タッチドラッグ入力の開始点が第２領域内に位置する場合、タッチドラッグ入力の検知された領域のタッチ面積によって異なる機能を行ってよい。
【００５８】
具体的に、プロセッサ１３０は、タッチドラッグ入力の検知された領域のタッチ面積が予め設定された第１しきい値以下であれば、タッチドラッグ入力によってドローイング機能を行ってよい。それにより、ディスプレイ１２０は、タッチドラッグ入力によってドローイングされたドローイングイメージを表示してよい。
【００５９】
一方、プロセッサ１３０は、タッチドラッグ入力の検知された領域のタッチ面積が第１しきい値を超過し、第２しきい値未満である場合、タッチドラッグ入力によって、ディスプレイ１２０上に表示されたイメージを削除する消しゴム機能を行う。
【００６０】
一方、タッチドラッグ入力の検知された領域のタッチ面積が第２しきい値を超過する場合、プロセッサ１３０は、タッチドラッグ入力によって、予め定義されたイメージを挿入するための機能を行う。具体的に、プロセッサ１３０は、タッチドラッグ入力の検知された領域のタッチ面積が第２しきい値を超過する場合、予め定義された少なくとも１つのイメージを表示するようにディスプレイ１２０を制御する。それにより、ディスプレイ１２０は、タッチドラッグ入力の検知された領域の近くに予め定義された少なくとも１つのイメージを表示してよい。その後、少なくとも１つのイメージを選択するためのユーザ命令が入力されると、ディスプレイ１２０はプロセッサ１３０の制御命令に応じ、ユーザ命令に対応するイメージを選択して表示してよい。
【００６１】
以下では、本発明に係るディスプレイ１２０について詳細に説明する。
【００６２】
図２は、本発明の一実施形態に係るディスプレイ構造を示す例示図である。
【００６３】
図２に示すように、ディスプレイ１２０は、複数のレイヤ２１０、２２０及び２３０からなってよい。
【００６４】
複数のレイヤ２１０、２２０及び２３０のうちの第１レイヤ２１０は、複数のページのうち少なくとも１つのページ、複数のページ間を区分するための境界ＵＩ及びユーザタッチに対応するドローイングイメージを表示してよい。
【００６５】
第２レイヤ２２０は、第１レイヤ２１０の上段に配置され、外部端末（図示せず）から受信されたコンテンツ或いは電子装置１００に予め保存されたコンテンツを表示してよい。
【００６６】
第３レイヤ２３０は、第１レイヤ２２０の上段に配置され、ナビゲーションＵＩ及び複数のページをスクロールするためのスクロールパッド、ナビゲーションＵＩを表示するためのアイコンなどを表示してよい。
【００６７】
このように、ディスプレイ１２０が第１ないし第３レイヤ２１０〜２３０で実現され、第１レイヤ２１０に少なくとも１つのページが表示され、第３レイヤ２３０にナビゲーションＵＩが表示されている状態で電子装置１００の回転が検知されると、プロセッサ１３０は、第１レイヤ２１０の表示状態を維持し、第３レイヤ２３０に表示されたナビゲーションＵＩを電子装置の回転によって回転させ、第３レイヤ２３０に表示してよい。
【００６８】
一方、本発明はそれに限定されず、複数のレイヤ２１０〜２３０は、上述の配置構造とは異なうる構造で配置されてよい。
【００６９】
図３は、本発明の一実施形態に係る電子装置の細部ブロック図である。
【００７０】
上述のように、電子装置１００が電子黒板或いは建物の壁に設置されるデジタルサイネージのような大画面ディスプレイ装置である場合、上述の入力部１１０、ディスプレイ１２０及びプロセッサ１３０の他にも、図３に示すように、通信部１４０、映像処理部１５０、オーディオ出力部１６０、保存部１７０を更に含んでよい。
【００７１】
まず、上述の入力部１１０は、多様なユーザ命令を受信してプロセッサ１３０に伝達するための手段として、操作部１１１及びタッチ入力部１１２を含んでよい。
【００７２】
操作部１１１は、各種機能キー、数字キー、特殊キー、文字キーなどを備えたキーパッド（Ｋｅｙ  Ｐａｄ）で実現されてよい。そして、タッチ入力部１１２０は、上述のディスプレイ１２０と相互レイヤ構造をなすタッチパッドで実現されてよい。この場合、タッチ入力部１１２は、ディスプレイ１２０に表示された多様なＵＩ関連のアイコンに対する選択命令を受信したり、タッチドラッグ入力によるドローイングイメージをディスプレイ１２０に表示された少なくとも１つのページに表示してよい。
【００７３】
ディスプレイ１２０は、液晶表示装置（ＬｉｑＵＩｄ  Ｃｒｙｓｔａｌ  Ｄｉｓｐｌａｙ：ＬＣＤ）、有機電気発光ダイオード（Ｏｒｇａｎｉｃ  Ｌｉｇｈｔ  Ｅｍｉｔｔｉｎｇ  Ｄｉｓｐｌａｙ：ＯＬＥＤ）などで実現されてよい。
【００７４】
通信部１４０は、近距離通信モジュール１４１、無線通信モジュール１４２及びコネクタ１４３を含んでよい。
【００７５】
近距離通信モジュール１４１は、近距離に位置する少なくとも１つの外部端末（図示せず）と、近距離無線通信を行うモジュールとして、例えば、ブルートゥース（Ｂｌｕｅｔｏｏｔｈ（登録商標））モジュール、ＮＦＣ（Ｎｅａｒ  Ｆｉｅｌｄ  Ｃｏｍｍｕｎｉｃａｔｉｏｎ）モジュール、Ｗｉ−Ｆｉモジュール、Ｚｉｇｂｅｅモジュールのうち、少なくとも１つを含んでよい。
【００７６】
無線通信モジュール１４２は、無線ＬＡＮのように、ＩＥＥＥなどのような無線通信プロトコールによって外部ネットワークに接続され、通信を行うモジュールである。しかし、本発明は、それに限定されずに、無線通信モジュール１４２は、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｏｕｔｉｏｎ）などのような多様な通信規格によって移動通信網に接続し、通信を行う移動通信モジュールであってよい。
【００７７】
コネクタ１４３は、ＵＳＢ  ２．０、ＵＳＢ  ３．０、ＨＤＭＩ（登録商標）、ＩＥＥＥ  １３９４など、多様なソース装置とのインターフェースを提供する構成である。このようなコネクタ１３３は、プロセッサ１３０の制御命令によってコネクタ１３３に接続された有線ケーブルを介して外部端末（図示せず）或いは外部サーバ（図示せず）から伝送された映像関連データを受信するか、予め保存された映像関連データを外部記録媒体に伝送してよい。なお、コネクタ１４３は、コネクタ１４３と物理的に接続された有線ケーブルを介して電源ソースから電源を入力されてよい。
【００７８】
映像処理部１５０は、外部端末（図示せず）から受信されたコンテンツを電子装置１００のディスプレイ１２０及び後述のオーディオ出力部１６０のうち少なくとも１つを介して出力可能な形で信号処理する。
【００７９】
オーディオ出力部１６０は、外部端末（図示せず）から受信されたコンテンツに含まれたオーディオデータをスピーカ（図示せず）を介して可聴音で出力する。
【００８０】
そして、保存部１７０は、外部端末（図示せず）から受信されたコンテンツを保存するか、電子装置１００の動作を制御するための運用プログラムを保存することができる。ここで、運用プログラムは、電子装置１００がターンオン（Ｔｕｒｎ  Ｏｎ）される場合、保存部１７０で読み取られ、コンパイルされて電子装置１００の各構成を動作させるプログラムになってよい。
【００８１】
一方、上述のプロセッサ１３０は、ＲＯＭ１３１、ＲＡＭ１３２、ＣＰＵ１３３及びＧＰＵ１３４を更に含んでよく、ＲＯＭ１３１、ＲＡＭ１３２、ＣＰＵ１３３及びＧＰＵ１３４は、バス１３５を介して相互接続されてよい。
【００８２】
ＣＰＵ１３３は、保存部１７０にアクセスし、保存部１７０に保存されたＯＳを用いてブートを行う。なお、ＣＰＵ１３３は、保存部１７０に保存された各種プログラム、コンテンツ、データなどを用いて多様な動作を行う。
【００８３】
ＧＰＵ１３４は、アイコン、イメージ、テキストなどのような多様な客体を含むディスプレイ画面を生成する。具体的に、ＧＰＵ１３４は、受信された制御命令に基づいて画面のレイアウトに応じて、各客体が表示される座標値、形、大きさ、カラーなどのような属性値を演算し、演算された属性値に基づいて客体を含む多様なレイアウトのディスプレイ画面を生成する。
【００８４】
ＲＯＭ１３１には、システムブートのための命令語セットなどが保存される。ターンオン命令が入力されて電源が供給されると、ＣＰＵ１３３は、ＲＯＭ１３１に保存された命令語に応じて保存部１７０に保存されたＯＳをＲＡＭ１２４にコピーし、ＯＳを実行させてシステムをブートさせる。ブートが完了すると、ＣＰＵ１３４は、保存部１７０に保存された各種プログラムをＲＡＭ１３２にコピーし、ＲＡＭ１３２にコピーされたプログラムを実行させて各種動作を行う。
【００８５】
このようなプロセッサ１３０は、上述の各構成と組み合わせられ、単一チップシステム（Ｓｙｓｔｅｍ−ｏｎ−ａ−ｃｈｉｐ又はＳｙｓｔｅｍ  ｏｎ  ｃｈｉｐ：ＳＯＣ、ＳｏＣ）で実現されてよい。
【００８６】
一方、上述のプロセッサ１３０の動作は、保存部１７０に保存されたプログラムによって行われてよい。ここで、保存部１７０は、ＲＯＭ１３１、ＲＡＭ１３２または電子装置１００に着脱自在のメモリカード（例えば、ＳＤカード、メモリスティック）、非揮発性メモリ、揮発性メモリ、ハードディスクドライブ（ＨＤＤ）またはソリッドステートドライブ（ＳＳＤ）のうち、少なくとも１つで実現されてよい。
【００８７】
これまで、本発明に係る電子装置１００の各構成について詳細に説明してきた。以下では、多様な実施形態を用いて、本発明に係る電子装置１００で行う動作について詳細に説明する。
【００８８】
図４ないし図６は、本発明の一実施形態に係る電子装置でスクロール動作を行う例示図である。
【００８９】
図４の（ａ）に示すように、電子装置１００は、複数のページのうちの開始ページ（以下、Ａページという）全体をディスプレイ１２０上に表示することができる。なお、電子装置１００は、Ａページと次のページとの間を区分するための境界ＵＩ４１０−１をディスプレイ１２０上に表示してよい。このとき、第１領域１４２は、複数ページのそれぞれの境界から予め設定された距離範囲に該当する領域を意味してよい。即ち、第１領域４１２は、境界ＵＩ４１０の表示された地点を基準に、予め設定された距離範囲内の領域であってよい。
【００９０】
このように、Ａページ及び境界ＵＩ４１０が表示された状態で、第１領域４１２内の一地点４１１に対するユーザのタッチドラッグ入力が検知されると、電子装置１００は、タッチドラッグ入力が検知される方向にスクロール動作を行う。即ち、電子装置１００は、タッチドラック入力の検知された方向にスクロール動作を行ってディスプレイ１２０上に表示されたＡページを上方に移動させることができる。それにより、電子装置１００は、図４の（ｂ）に示すように、Ａページの一部と、次のページのＢページの一部とをディスプレイ１２０上に表示してよい。なお、電子装置１００は、ＡページとＢページとの間を区分するための境界ＵＩ４１０−１を一方向に移動させ、一方向に移動された境界ＵＩ４１０−２をディスプレイ１２０上に表示してよい。
【００９１】
一方、電子装置１００は、Ａページの全体を表示するディスプレイ１２０の第１領域に「１２３ａｂｃ」というドローイングイメージ４２０−１を表示することができる。ここで、第２領域は、第１領域４１２外の領域であってよい。即ち、第２領域は、複数ページのそれぞれの境界から予め設定された距離範囲外の領域に該当する領域を意味してよい。よって、電子装置１００は、一地点４１１に対するユーザのタッチドラッグ入力によってＡページが上方に移動すると、第２領域に表示されたドローイングイメージ４２０−１をＡページが上方に移動した距離分だけ移動させ、移動したドローイングイメージ４２０−２を表示してよい。
【００９２】
その後、図５の（ａ）に示すように、Ａ及びＢページの間を区分するための境界ＵＩ４１０−１から予め設定された距離範囲の第１領域５１２のうちの一地点５１１に対するユーザのタッチドラッグ入力が検知されると、電子装置１００は、タッチドラッグ入力の検知された方向にスクロール動作を行う。即ち、電子装置１００は、タッチドラッグ入力の検知された方向にスクロール動作を行い、ディスプレイ１２０上に表示されたＡ及びＢページを上方に移動させてよい。
【００９３】
それにより、電子装置１００は、図５（ｂ）に示すように、ディスプレイ１２０上に表示されるＢページの表示面積をＡページの表示面積より広く表示することができる。なお、電子装置１００は、ＡページとＢページとの間を区分するための境界ＵＩ４１０−２を一方向に移動させ、一方向に移動した境界ＵＩ４１０−３をディスプレイ１２０上に表示してよい。
【００９４】
なお、電子装置１００は、第２領域に表示されたドローイングイメージ４２０−２をＡページが上方に移動した距離分だけ移動させ、移動したドローイングイメージ４２０−３を表示してよい。
【００９５】
即ち、電子装置１００は、Ａページが上方に移動することにより、全ドローイングイメージ４２０−２のうちの一部のドローイングイメージ４２０−３のみをディスプレイ１２０に表示してよい。
【００９６】
上述のスクロール動作によって、Ｂページの全体がディスプレイされると、電子装置１００は、図６（ａ）に示すように、ＡページとＢページとの間を区分するための境界ＵＩ４１０−４と、Ｂページと次のページ（以下、Ｃページという）との間を区分するための境界ＵＩ４１０−５をディスプレイ１２０上に表示してよい。
【００９７】
なお、電子装置１００は、Ｂページの全体を表示するディスプレイ１２０の第１領域に「４５６ｄｅｆ」というドローイングイメージ４３０−１を表示してよい。第２領域は、第１領域６１２外の領域であってよい。即ち、第２領域は、複数ページのそれぞれの境界から予め設定された距離範囲外の領域に該当する領域を意味してよい。このように、ディスプレイ１２０の第２領域に「４５６ｄｅｆ」というドローイングイメージ４３０−１が表示されている状態で、Ａ及びＢページの間を区分するための境界ＵＩ４１０−４から予め設定された距離範囲の領域６１２内の一地点６１１に対するユーザのタッチドラッグ入力が検知されると、電子装置１００は、Ｂページを下方に移動させるスクロール動作を行う。
【００９８】
それにより、電子装置１００は、図６の（ｂ）に示すように、Ａ及びＢページをディスプレイ１２０上に表示してよい。なお、電子装置１００は、一地点６１１に対するユーザのタッチドラッグ入力によって、ＡページとＢページとの間を区分するための境界ＵＩ４１０−４を下方に移動させ、可能に移動した境界ＵＩ４１０−６をディスプレイ１２０上に表示してよい。
【００９９】
一方、一地点６１１に対するユーザのタッチドラッグ入力によって、Ａ及びＢページがディスプレイ１２０上に表示された場合、電子装置１００は、Ａページが表示されるディスプレイ１２０上に「１２３ａｂｃ」というドローイングイメージ４２０−４を表示する。なお、電子装置１００は、一地点６１１に対するユーザのタッチドラッグ入力によって、ディスプレイ１２０の第２領域に表示された「４５６ｄｅｆ」というドローイングイメージ４３０−１をＢページが表示される領域に移動させる。それにより、電子装置１００は、Ｂページが表示される領域に移動した「４５６ｄｅｆ」というドローイングイメージ４３０−２をディスプレイ１２０上に表示してよい。
【０１００】
図７は、本発明の別の実施形態に係る電子装置でスクロール動作を行う例示図である。
【０１０１】
図７に示すように、電子装置１００は、ユーザ命令に応じ、ディスプレイ１２０の一領域に少なくとも１つのページを制御するための制御ＵＩ７１０を表示してよい。
【０１０２】
ここで、制御ＵＩ７１０は、複数のページをスクロールするためのスクロールパッド７１１を含んでよい。更に、制御ＵＩ７１０は、複数のページをガイドするためのナビゲーションＵＩを表示するか、ディスプレイ１２０上に表示された少なくとも１つのページを編集するための複数のアイコンを更に含んでよい。
【０１０３】
よって、電子装置１００は、制御ＵＩ７１０に含まれたスクロールパッド７１１に対するユーザ命令が入力されると、ユーザ命令に対応する方向にディスプレイ１２０上に表示されたページを上方或いは下方に移動させて表示してよい。
【０１０４】
図示のように、電子装置１００は、ディスプレイ１２０上に開始ページであるＡページを表示してよい。このようなＡページが表示されている状態で、制御ＵＩ７１０に含まれたスクロールパッド７１１を介して上方にスクロールするためのユーザ命令が入力されると、電子装置１００は、Ａページを上方に移動させ、ディスプレイ１２０上に表示してよい。Ａページが上方に移動されている状態で、スクロールパッド７１１を介して下方にスクロールするためのユーザ命令が入力されると、電子装置１００は、Ａページを下方に移動させてディスプレイ１２０上に表示してよい。
【０１０５】
図８は、本発明の一実施形態に係る電子装置でナビゲーションＵＩを提供する例示図である。
【０１０６】
図７で説明したように、電子装置１００は、制御ＵＩ７１０に含まれた複数のアイコンのうち、ナビゲーションＵＩを表示するためのアイコンに対するユーザ命令が入力されると、少なくとも１つのページが表示されたディスプレイ１２０の一領域にナビゲーションＵＩ８１０を表示する。
【０１０７】
具体的に、ナビゲーションＵＩを表示するためのアイコンに対するユーザ命令が入力されると、電子装置１００は、ディスプレイ１２０の右領域にナビゲーションＵＩ８１０を表示し、制御ＵＩ７１０’をディスプレイ１２０の上段領域に表示してよい。
【０１０８】
一方、ナビゲーションＵＩ８１０は、上述のように、複数のページをガイドするためのＵＩとして、複数ページのそれぞれに対応するエレメントを含んでよい。そして、複数のエレメントのうち、現在のディスプレイ１２０上に表示された少なくとも１つのページに対応する第１エレメントには、当該ページをガイドするためのインディケータ８１１が表示されてよい。
【０１０９】
図８（ａ）に示すように、電子装置１００は、ディスプレイ１２０上にＣページを表示してよい。この場合、電子装置１００は、ナビゲーションＵＩ８１０に含まれた複数のエレメントのうち、ディスプレイ１２０上に表示されたＣページに対応する第１エレメントにＣページをガイドするためのインディケータ８１１を表示してよい。
【０１１０】
一方、ディスプレイ１２０上に表示されたＣページに対応する第１エレメントに表示されたインディケータ８１１は、複数のアイコンを含んでよい。
【０１１１】
具体的に、図８の（ｂ）に示すように、インディケータ８１１は、ディスプレイ１２０上に表示されたページを移動するためのアイコン８１２、ページを挿入するためのアイコン８１３及びページを削除するためのアイコン８１４を含んでよい。
【０１１２】
例えば、ページを移動させるためのアイコン８１２に対するユーザ命令が入力されると、電子装置１００はユーザ命令に応じ、アイコン８１２の移動する方向に対応する方向のページがディスプレイ１２０上に表示されるように、複数のページをスクロールしてよい。
【０１１３】
一方、ページを挿入するためのアイコン８１３は、インディケータ８１１の上段及び下段に位置してよい。もし、インディケータ８１１の上段に位置するアイコン８１３が選択されると、電子装置１００は、インディケータ８１１の表示された第１エレメントと以前のエレメントとの間にニューエレメントを表示してよい。その後、電子装置１００は、ニューエレメントにインディケータ８１１を表示し、ニューエレメントに対応する新しいページをディスプレイ１２０上に表示してよい。
【０１１４】
一方、ページを削除するためのアイコン８１４が選択されると、電子装置１００はインディケータ８１１が表示された第１エレメント及び第１エレメントに対応するＣページとをディスプレイ１２０上から削除する。
【０１１５】
なお、電子装置１００は、第１エレメントが削除されると、第１エレメントの以前或いは次のエレメントにインディケータを表示し、インディケータの表示されたエレメントに対応するページをディスプレイ１２０上に表示してよい。
【０１１６】
図９は、本発明の一実施形態に係る電子装置で電子装置の回転によってディスプレイを制御する例示図である。
【０１１７】
図８で説明したように、電子装置１００は、Ｃページが表示されたディスプレイ１２０の右領域にナビゲーションＵＩ１８０を表示し、ディスプレイ１２０の上段領域に制御ＵＩ７１０’を表示してよい。即ち、電子装置１００は、ディスプレイ１２０の４面のうち、第１面に近接する領域にナビゲーションＵＩ８１０を表示し、第２面に近接する領域に制御ＵＩ７１０’を表示してよい。なお、電子装置１００は、Ｃページが表示されたディスプレイ１２０上に「１２３ａｂｃ」というドローイングイメージを表示してよい。
【０１１８】
このような状態で、電子装置１００は、電子装置１００の回転が検知されると、電子装置１００は回転方向に応じて、ナビゲーションＵＩ８１０及び制御ＵＩ７１０’の位置を変更する。
【０１１９】
具体的に、図９に示すように、電子装置１００が左方に回転するイベントが検知されると、電子装置１００は、ディスプレイ１２０の第１面に近接する領域に配置されたナビゲーションＵＩ８１０をディスプレイ１２０の第３面に近接する領域に配置し、ディスプレイ１２０の第１面に近接する領域に配置された制御ＵＩ７１０’をディスプレイ１２０の第２面に近接する領域に配置されて表示してよい。
【０１２０】
このとき、電子装置１００は、ディスプレイ１２０上に表示されたＣページ及び「１２３ａｂｃ」というドローイングイメージに対し、回転しない状態で表示してよい。
【０１２１】
その後、電子装置１００は、スクロールのためのユーザのタッチドラッグ入力が検知されると、検知されたタッチドラッグ入力によって複数のページに対するスクロール動作を行う。それにより、ディスプレイ１２０は、タッチドラッグ入力によって、左或いは右に移動したＣページ及びＣページに隣接するページのうち、少なくとも１つを表示してよい。
【０１２２】
図１０ないし図１２は、本発明の一実施形態に係る電子装置でタッチドラッグ入力によって動作を行う例示図である。
【０１２３】
図１０に示すように、電子装置１００は、タッチペンのような入力装置２００のタッチドラッグ入力によってドローイング機能を行い、ディスプレイ１２０上に入力装置２００のタッチドラッグ入力に対応するドローイングイメージを表示することができる。
【０１２４】
このような電子装置１００は、入力装置２００のタッチドラッグ入力の検知された領域のタッチ面積に応じて、異なるドローイング機能を行う。実施形態によって、入力装置２００のタッチドラッグ入力が最初検知された領域のタッチ面積が予め設定された第１しきい値の中間値以下であれば、マーカペンタイプのドローイング機能を行う。そして、電子装置１００は、入力装置２００がタッチドラッグ入力が最初検知された領域のタッチ面積が予め設定された第１しきい値の中間値を超過し、第１しきい値以下であれば、蛍光ペンタイプのドローイング機能を行う。
【０１２５】
具体的に、入力装置２００は、両端が相互異なるタイプで実現されてよい。即ち、入力装置２００の一端はペン先が細い第１タイプ２１０で実現されてよく、入力装置２００の他端はペン先が太い第２タイプ２２０で実現されてよい。
【０１２６】
よって、第１タイプ２１０で実現された入力装置２００の一端のタッチドラッグ入力が検知されると、電子装置１００は入力装置２００のタッチドラッグ入力によって、マーカペンタイプのドローイングイメージ１０１０をディスプレイ１２０上に表示してよい。
【０１２７】
一方、第２タイプ２２０で実現された入力装置２００の他端のタッチドラッグ入力が検知されると、電子装置１００は入力装置２００のタッチドラッグ入力によって、蛍光ペンタイプのドローイングイメージ１０２０をディスプレイ１２０上に表示してよい。
【０１２８】
一方、電子装置１００は、図１１に示すように、入力装置２００を介してロングプレスタッチ入力１１１０が検知されると、ロングプレスタッチ入力１１１０の検知された領域のタッチ面積に応じて、ドローイングイメージの色変更のための第１または第２色ＵＩ１１２０、１１３０をディスプレイ１２０上に表示してよい。
【０１２９】
具体的に、電子装置１００は、第１タイプ２１０で実現された入力装置２００の一端を介してロングプレスタッチ入力１１１０が検知されたと判断されると、第１色ＵＩ１１２０をディスプレイ１２０上に表示してよい。その後、電子装置１００は、第１色ＵＩ１１２０に含まれた複数の色のそれぞれに対応するアイコンのうちの１つが選択されると、選択されたアイコンに対応する色でマーカペンタイプのドローイングイメージに対する色を設定することができる。
【０１３０】
そして、電子装置１００は、第２タイプ２２０で実現された入力装置２００の他端を介してロングプレスタッチ入力１１１０が検知されたと判断されると、第２色ＵＩ１１３０をディスプレイ１２０上に表示してよい。その後、電子装置１００は、第２色ＵＩ１１３０に含まれた複数の色のそれぞれに対応するアイコンのうちの１つが選択されると、選択されたアイコンに対応する色で蛍光ペンタイプのドローイングイメージに対する色を設定することができる。
【０１３１】
一方、電子装置１００は、ドローイングイメージの色変更のための第１又は第２色ＵＩ１１２０、１１３０をロングプレスタッチ入力１１１０の検知された領域と隣接する領域に表示してよい。なお、電子装置１００は、第１又は第２色ＵＩ１１２０、１１３０に含まれた複数の色のそれぞれに対応するアイコンの配置順をペンタイプに応じて異なるように設定してよい。なお、電子装置１００は、第１又は第２色ＵＩ１１２０、１１３０に含まれた複数のアイコンに対する選択頻度に応じ、第１又は第２色ＵＩ１１２０、１１３０に含まれた複数のアイコンの配置順を再設定してよい。
【０１３２】
一方、電子装置１００は、図１２に示すように、ユーザのタッチドラッグ入力によって、ディスプレイ１２０上に表示されたドローイングイメージを削除したり、予め定義されたイメージをディスプレイ１２０上に挿入する機能を行ってよい。
【０１３３】
具体的に、電子装置１００は、ユーザのタッチドラッグ入力が検知されると、タッチドラッグ入力の検知された領域のタッチ面積が予め設定された第１しきい値を超過し、第２しきい値未満か否かを判断する。判断の結果、タッチドラッグ入力の検知された領域のタッチ面積１２２０が予め設定された第１しきい値を超過し、第２しきい値未満であれば、電子装置１００はユーザのドラッグ１２１０の入力によって、ディスプレイ１２０上に表示されたドローイングイメージを削除してよい。
【０１３４】
一方、タッチドラッグ入力の検知された領域のタッチ面積１２３０が予め設定された第２しきい値を超過すると、電子装置１００はユーザのタッチ入力の検知された領域と近接する地点に予め定義された複数のイメージ１２４０を表示する。その後、電子装置１００は、表示されたイメージ１２４０のうちの１つが選択されると、選択されたイメージ１２４０をディスプレイ１２０上に表示してよい。
【０１３５】
一方、電子装置１００は、ユーザのタッチドラッグ入力の検知された領域のタッチ面積が予め設定された第１しきい値以下なら、図１１で説明したように、ユーザのドラッグ入力によるドローイングイメージをディスプレイ１２０上に表示してよい。
【０１３６】
これまで、多様な実施形態を参照して本発明に係る電子装置１００の動作について詳細に説明してきた。以下では、本発明に係る電子装置１００の制御方法について、詳細に説明する。
【０１３７】
図１３は、本発明の一実施形態に係る電子装置の制御方法を示すフローチャートである。
【０１３８】
図１３に示すように、電子装置１００は、複数のページのうち少なくとも１つのページをディスプレイ上に表示する（Ｓ１３１０）。このとき、電子装置１００は、複数のページの間を区分するための境界線（以下、境界ＵＩという）を一緒に表示する。
【０１３９】
このような少なくとも１つのページ及び境界ＵＩを表示する間、タッチドラッグ入力が検知されると、電子装置１００は、検知されたタッチドラッグ入力の開始点がディスプレイの第１領域内に位置するか否かを判断する（Ｓ１３２０、１３３０）。ここで、第１領域は、境界ＵＩを基準に予め設定された範囲内の領域であってよい。
【０１４０】
よって、タッチドラッグ入力の開始点が第１領域に位置すると判断されると、電子装置１００は、タッチドラッグ入力によって複数のページに対するスクロール機能を行う（Ｓ１３４０）。
【０１４１】
一方、電子装置１００は、少なくとも１つのページが表示される間、複数のページをガイドするためのナビゲーションウィンドウ（以下、ナビゲーションＵＩという）を表示するためのアイコンを含む制御ＵＩを一緒に表示してよい。
【０１４２】
よって、電子装置１００は、制御ＵＩに含まれたアイコンを選択するユーザ命令が入力されると、少なくとも１つのページが表示される間、ディスプレイの一領域にナビゲーションＵＩを一緒に表示してよい。
【０１４３】
ナビゲーションＵＩは、ディスプレイ上に現在表示されている少なくとも１つのページをガイドするためのインディケータを含んでよい。よって、電子装置１００は、複数のページに対するスクロール機能を行う場合、スクロールによってインディケータを移動させてよい。
【０１４４】
一方、インディケータは、ディスプレイ上に現在表示されるページを移動するためのアイコン、ページを挿入するためにアイコン、及びページを削除するためのアイコンのうち、少なくとも１つを含んでよい。
【０１４５】
本発明の更なる態様によって、電子装置１００は、ナビゲーションＵＩを表示するためのアイコンだけでなく、ディスプレイ上に少なくとも１つのページが表示されている状態で、複数のページをスクロールするためのスクロールパッドを更に含む制御ＵＩを少なくとも１つのページが表示されたディスプレイ上に表示してよい。
【０１４６】
しかし、本発明は、それに限定されず、電子装置１００は、ディスプレイ上に表示された少なくとも１つのページを編集するためのアイコンを更に含む制御ＵＩを少なくとも１つのページが表示されたディスプレイ上に表示してよい。
【０１４７】
一方、電子装置１００は、制御ＵＩに含まれたスクロールパッドを介してユーザ命令が入力されると、入力されたユーザ命令に応じて、複数のページをスクロールしてよい。
【０１４８】
一方、上述のステップＳ１３３０で、タッチドラッグ入力の開始点が第１領域でない第２領域に位置すると判断されると、電子装置１００は、タッチ入力によってスクロール機能と異なる機能を行ってよい。一実施形態によると、電子装置１００は、タッチ入力によってドローイング機能を行ってよい（Ｓ１３５０）。
【０１４９】
その後、電子装置１００は、上述のステップＳ１３４０或いはステップＳ１３５０以後に電子装置１００の回転が検知されると（Ｓ１３６０）、ディスプレイに表示された少なくとも１つのページを除くＵＩを電子装置の回転によって回転させて表示する（Ｓ１３７０）。
【０１５０】
ここで、ＵＩは、ナビゲーションウィンドウ（以下、ナビゲーションＵＩという）と、複数のページをスクロールするためのスクロールパッド、複数のページをガイドするためのナビゲーションＵＩを表示するためのアイコン、及びディスプレイ上に表示された少なくとも１つのページを編集するためのアイコンを含む制御ＵＩのうち少なくとも１つを含んでよい。
【０１５１】
図１４は、本発明の一実施形態に係る電子装置でユーザタッチに対応する機能を行う方法を示すフローチャートである。
【０１５２】
図１４に示すように、電子装置１００は、上述のステップＳ１３３０でタッチドラッグ入力の開始点が第１領域内に位置しないと判断されると、タッチドラッグ入力の開始点が第２領域内に位置するか否かを判断する（Ｓ１４１０）。
【０１５３】
判断の結果、タッチドラッグ入力の開始点が第２領域内に位置すると、電子装置１００は、タッチドラッグ入力の検知された領域のタッチ面積が予め設定された第１しきい値以下か否かを判断する（Ｓ１４２０）。
【０１５４】
判断の結果、タッチドラッグ入力の検知された領域のタッチ面積が予め設定された第１しきい値以下なら、電子装置１００は、タッチドラッグ入力によってドローイング機能を行い、タッチドラッグ入力によるドローイングイメージをディスプレイ上に表示する（Ｓ１４３０）。
【０１５５】
一方、上述のステップＳ１４２０において、タッチドラッグ入力の検知された領域が予め設定された第１しきい値以上なら、電子装置１００は、タッチドラッグ入力の検知された領域のタッチ面積が予め設定された第１しきい値を超過し、第２しきい値未満か否かを判断する（Ｓ１４４０）。
【０１５６】
判断の結果、タッチドラッグ入力の検知された領域のタッチ面積が予め設定された第１しきい値を超過して第２しきい値未満なら、電子装置１００は、タッチドラッグ入力によって消しゴム機能を行う（Ｓ１４５０）。
【０１５７】
一方、上述のステップＳ１４４０において、タッチドラッグ入力の検知された領域のタッチ面積が予め設定された第２しきい値以上なら、電子装置１００は、タッチドラッグ入力によって予め定義されたイメージをディスプレイ上に挿入する機能を行う（Ｓ１４６０）。
【０１５８】
一方、上述のステップＳ１４１０において、タッチドラッグ入力の開始点が第２領域内に位置せずに、スクロールパッド領域内に位置すると判断されると、電子装置１００は、スクロールパッドを介して入力されたタッチドラッグ入力によって複数のページをスクロールする機能を行う（Ｓ１４７０、Ｓ１４８０）。
【０１５９】
一方、上述の多様な実施形態に係る電子装置１００の制御方法は、ソフトウェアでコーディングされて非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されてよい。このような非一時的な読み取り可能な媒体は、様々な装置に搭載されて使われてよい。
【０１６０】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、ＣＤやＤＶＤ、ハードディスク、ブルーレイディスク、ＵＳＢ、メモリカード、ＲＯＭ等であってよい。
【０１６１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2020530623.tif 000003
【図２】
2020530623.tif 000004
【図３】
2020530623.tif 000005
【図４】
2020530623.tif 000006
【図５】
2020530623.tif 000007
【図６】
2020530623.tif 000008
【図７】
2020530623.tif 000009
【図８】
2020530623.tif 000010
【図９】
2020530623.tif 000011
【図１０】
2020530623.tif 000012
【図１１】
2020530623.tif 000013
【図１２】
2020530623.tif 000014
【図１３】
2020530623.tif 000015
【図１４】
2020530623.tif 000016
【国際調査報告】
2020530623.tif 000017
2020530623.tif 000018